(57)【特許請求の範囲】
【請求項１】
側部に被係止突起を設けたランプ口金を挿入する口金受け部を有し、前記ランプ口金を前記口金受け部に挿入する際に前記被係止突起が通る第１の溝と前記ランプ口金を前記口金受け部に挿入した状態で回転することにより前記被係止突起が通る第２の溝を前記第１の溝に連続して設けたランプソケットにおいて、
前記ランプ口金を前記口金受け部に挿入した状態で回転することにより前記被係止突起を係脱可能に弾性係止する弾性係止片を前記口金受け部に設け、
かつ、前記弾性係止片が弾性を有する樹脂により形成されて前記ランプ口金を挿入方向に押し付けるものであり、前記口金受け部に一体に成形されているランプソケット。
【請求項２】
前記弾性係止片は前記ランプ口金を回転する際に乗り越えさせるとともに前記ランプ口金を挿入方向に押し付ける屈曲部を有する板ばねである請求項１記載のランプソケット。
【請求項３】
前記弾性係止片は先端部に係合突部を有しかつ基端部が前記口金受け部に連結され、前記基端部と前記先端部を結ぶ方向が前記口金受け部の周方向である請求項１記載のランプソケット。
【請求項４】
前記基端部はＬ字状に屈曲している請求項３記載のランプソケット。
【請求項５】
前記弾性係止片は係合突部より前記基端部寄りに前記被係止突起の入り込みを規制するストッパを有する請求項１記載のランプソケット。
【請求項６】
前記弾性係止片の先端部が前記口金受け部の径方向の外方に変形するのを防止する変形防止片を設けた請求項１記載のランプソケット。
【請求項７】
前記弾性係止片の弾力により、前記ランプ口金の電気接続部周辺のランプ口金平面と前記口金受け部のソケット受金平面との平面同志を接触させる請求項１記載のランプソケット。
【請求項８】
前記ランプ口金は前記口金受け部内で回転したとき前記口金受け部の内周面に回転止めされる請求項１記載のランプソケット。
【請求項９】
前記ランプ口金は前記口金受け部内で回転したとき前記弾性係止片の基端部に回転止めされる請求項１記載のランプソケット。
【請求項１０】
前記弾性係止片は前記係合突部の前記基端部側に隣接して係合凹部を有し、前記基端部が前記係合凹部から周方向に離れている請求項３記載のランプソケット。
【請求項１１】
請求項１、請求項２、請求項３、請求項４、請求項５、請求項６、請求項７、請求項８、請求項９、または請求項１０記載の片口金蛍光灯用ソケット。
【請求項１２】
請求項１、請求項２、請求項３、請求項４、請求項５、請求項６、請求項７、請求項８、請求項９、または請求項１０記載のソケットを用いた照明器具。
【請求項１３】
請求項１、請求項２、請求項３、請求項４、請求項５、請求項６、請求項７、請求項８、請求項９、または請求項１０記載のソケットを用いた片口金蛍光灯器具。
【発明の詳細な説明】
【０００１】
【発明の属する技術分野】
この発明は、ランプソケット、片口金蛍光灯用ソケット、照明器具および片口金蛍光灯器具に関するものである。
【０００２】
【従来の技術】
片口金蛍光灯用ソケットにおいて、ランプを回動操作によってソケットに嵌合取付けするタイプのもの（例えば実開昭63-47586号) は、ばね１００を設けたランプソケットのランプピン接触片１０１がランプ１０２の挿入に対して、ランプピン１０５を押し戻す方向へ荷重を与え、さらにランプ１０２を回動させた位置に、ランプ口金の突起１０３に対応した凹部１０４へ嵌合させ、ランプ１０２を保持している。
【０００３】
【発明が解決しようとする課題】
しかし、この片口金蛍光灯用ソケットは、ランプ１０２とランプソケットの嵌合がランプ口金の２つの突起１０３だけのため外力が加わった場合、ランプ１０２が容易に動いてしまい、ランプピン１０５の接触が不安定になる。
【０００４】
また、ランプ１０２の挿入を押し戻す方向にばね力が働いてランプ１０２を保持しているため、ランプ取付操作が押しながら回すので、押す力によって回転トルクに違いがでるとともに操作感触も変化し、クリック感が不明確であり、操作性が良好でない。
【０００５】
したがって、この発明の目的は、操作性を向上できるとともに、ランプを安定保持することができるランプソケット、片口金蛍光灯用ソケット、照明器具および片口金蛍光灯器具を提供することである。
【０００６】
【課題を解決するための手段】
請求項１記載のランプソケットは、側部に被係止突起を設けたランプ口金を挿入する口金受け部を有し、前記ランプ口金を前記口金受け部に挿入する際に前記被係止突起が通る第１の溝と前記ランプ口金を前記口金受け部に挿入した状態で回転することにより前記被係止突起が通る第２の溝を前記第１の溝に連続して設けたランプソケットにおいて、
前記ランプ口金を前記口金受け部に挿入した状態で回転することにより前記被係止突起を係脱可能に弾性係止する弾性係止片を前記口金受け部に設け、    
かつ、前記弾性係止片が弾性を有する樹脂により形成されて前記ランプ口金を挿入方向に押し付けるものであり、前記口金受け部に一体に成形されているものである。
【０００７】
請求項１記載のランプソケットによれば、被係止突起が第１の溝および第２の溝を通り弾性係止片に弾性係止するため、ランプ取付操作が回転力のみでできるので、従来のようにランプソケットに押し付けながら回転させるものに比較して操作力および操作感触を一定にでき、操作性を向上できるとともに、ランプ口金の底面をランプソケットの開口部の底面に受けることができランプ口金を安定保持でき、ランプが傾きにくくランプピンの接触も安定化できる。
【００１１】
とくに、弾性係止片で被係止突起を介してランプ口金を口金受け部に押し付けるため、より安定保持できる。
【００１２】
請求項２記載のランプソケットは、請求項１において、前記弾性係止片が前記ランプ口金を回転する際に乗り越えさせるとともに前記ランプ口金を挿入方向に押し付ける屈曲部を有する板ばねとしている。
【００１３】
請求項２記載のランプソケットによれば、請求項１と同様な効果がある。
【００１４】
請求項３記載のランプソケットは、請求項１において、前記弾性係止片が先端部に係合突部を有しかつ基端部が前記口金受け部に連結され、前記基端部と前記先端部を結ぶ方向が前記口金受け部の周方向である。
【００１５】
請求項３記載のランプソケットによれば、請求項１と同様な効果のほか、被係止突起が弾性係止片を押圧する点と基端部との距離が取付時と取外し時とで異なり、かつ後者の方が短いので、ランプを取付けやすく外れにくくなる。
【００１６】
請求項４記載のランプソケットは、請求項３において、前記基端部がＬ字状に屈曲しているものである。
【００１７】
請求項４記載のランプソケットによれば、請求項３と同様な効果のほか、小さなスペースで弾性係止片を形成することができる。
【００１８】
請求項５記載のランプソケットは、請求項１において、前記弾性係止片が係合突部より前記基端部寄りに前記被係止突起の入り込みを規制するストッパを有するものである。
【００１９】
請求項５記載のランプソケットによれば、請求項１と同様な効果のほか、ストッパにより回転止めになり、ランプが傾きにくくなり、またランプソケットの軸線に対して傾斜する方向にランプを傾けるランプこじりに対して、被係止突起をストッパで受けることができ、弾性係止片の基端部に応力集中がかからないので、基端部の変形、亀裂や破損を防止できる。
【００２０】
請求項６記載のランプソケットは、請求項１において、前記弾性係止片の先端部が前記口金受け部の径方向の外方に変形するのを防止する変形防止片を設けたものである。
【００２１】
請求項６記載のランプソケットによれば、請求項１と同様な効果のほか、ランプが片寄せで取付けられた場合でも、変形防止片により規制できるので被係止突起が係合突部に不完全嵌合することがなく、ランプの取付不良による弾性係止片の破壊を防止できる。また外力を変形防止片と弾性係止片で受けるため耐衝撃強度が向上する。
【００２２】
請求項７記載のランプソケットは、請求項１において、前記弾性係止片の弾力により、前記ランプ口金の電気接続部周辺のランプ口金平面と前記口金受け部のソケット受金平面との平面同志を接触させるものである。
【００２３】
請求項７記載のランプソケットによれば、請求項１と同様な効果がある。
【００２４】
請求項８記載のランプソケットは、請求項１において、前記ランプ口金が前記口金受け部内で回転したとき前記口金受け部の内周面に回転止めされるものである。
【００２５】
請求項８記載のランプソケットによれば、請求項１と同様な効果のほか、口金受け部の周壁とランプ口金の側面との当接によってランプ装着の回転を止めるため、接する面積が広く過度の操作力が加わっても破壊しにくい。
【００２６】
請求項９記載のランプソケットは、請求項１において、前記ランプ口金が前記口金受け部内で回転したとき前記弾性係止片の基端部に回転止めされるものである。
【００２７】
請求項９記載のランプソケットによれば、請求項１と同様な効果のほか、ランプ口金の側面が弾性係止片の基端部に当接するため弾性係止片を変形することがない。
【００２８】
請求項１０記載のランプソケットは、請求項３において、前記弾性係止片が前記係合突部の前記基端部側に隣接して係合凹部を有し、前記基端部が前記係合凹部から周方向に離れているものである。
【００２９】
請求項１０記載のランプソケットによれば、請求項３と同様な効果のほか、被係止突起の全体を弾性係止片で押すことができるのでランプ保持の安定性がより高い。
【００３０】
請求項１１記載の片口金蛍光灯用ソケットは、請求項１、請求項２、請求項３、請求項４、請求項５、請求項６、請求項７、請求項８、請求項９、または請求項１０記載のランプソケットである。
【００３１】
請求項１１記載の片口金蛍光灯用ソケットによれば、請求項１、請求項２、請求項３、請求項４、請求項５、請求項６、請求項７、請求項８、請求項９、または請求項１０と同様な効果がある。
【００３２】
請求項１２記載の照明器具は、請求項１、請求項２、請求項３、請求項４、請求項５、請求項６、請求項７、請求項８、請求項９、または請求項１０記載のランプソケットを用いたものである。
【００３３】
請求項１２記載の照明器具によれば、請求項１、請求項２、請求項３、請求項４、請求項５、請求項６、請求項７、請求項８、請求項９、または請求項１０と同様な効果がある。
【００３４】
請求項１３記載の片口金蛍光灯器具は、請求項１、請求項２、請求項３、請求項４、請求項５、請求項６、請求項７、請求項８、請求項９、または請求項１０記載のランプソケットを用いたものである。
【００３５】
請求項１３記載の片口金蛍光灯器具によれば、請求項１、請求項２、請求項３、請求項４、請求項５、請求項６、請求項７、請求項８、請求項９、または請求項１０と同様な効果がある。
【００３６】
【発明の実施の形態】
この発明の第１の実施の形態を図１から図９により説明する。すなわち、このランプソケットは、例えば片口金蛍光灯用ソケットに適用したものであり、図２に示す片口金蛍光ランプなど、側部に被係止突起１を設けたランプ口金２を有するランプ３を装着するものである。被係止突起１は上端中央が頂部となって尖った山形に形成されている。４はランプ口金平面５より突出した電気接続部であるランプピンである。
【００３７】
この片口金蛍光灯ソケットは、ランプ３の被係止突起１を開口部縁の下面に回転係止するものにおいて、開口部縁に形成されて被係止突起１を係止する係止部９Ａが、奥端側で開口部縁に連なりかつ被係止突起１が挿入される側を自由端とする。
【００３８】
すなわち、片口金蛍光灯ソケットは、開口部を形成する口金受け部６と、第１の溝７と、第２の溝８と、係止部９Ａを形成する弾性係止片９を有する。口金受け部６は、ランプ口金２を挿入するもので、図５に示すようにランプ口金２を収容する凹部１０をソケットボディ１２の上端部に形成してなる。１０ｂが開口部である。凹部１０の内底面はランプ口金の装着時にランプ口金平面５と接触するソケット受け金平面１０ａとなっている。このソケット受け金平面１０ａの中央にランプピン４を遊嵌する長孔１１を形成している。一方、ソケットボディ１２の下端部には長孔１１を貫通したランプピン４がランプ口金２の回転により挿着されるランプピン接触片１３を例えば一体形成した端子１４を取付け、カバー１５をソケットボディ１２に取付けることによりカバー１５で端子１４を覆っている。
【００３９】
第１の溝７は、図１に示すようにランプ口金２を口金受け部６に挿入する際に被係止突起１が通る縦溝である。第２の溝８はランプ口金２を口金受け部６に挿入した状態で回転することにより被係止突起１が通る横溝で第１の溝７に連続して設けている。
【００４０】
弾性係止片９は、ランプ口金２を口金受け部６に挿入した状態で回転することにより被係止突起１を係脱可能に弾性係止するもので、口金受け部６に設けている。実施の形態では、凹部１０を形成する周壁の一部に第１の溝７および第２の溝８をスリット状に形成することにより周壁に形成している。すなわち弾性係止片９は弾性を有する樹脂により形成されて口金受け部６に一体に成形され、ランプ口金２を挿入方向に押し付けている。この弾性係止片９は先端部９ｂに第２の溝８に向く係合突部１７を有しかつ基端部９ａが口金受け部６に連結され、基端部９ａと先端部９ｂを結ぶ方向が口金受け部６の周方向である。また弾性係止片９は図４等に示すように係合突部１７より基端部９ａ寄りに被係止突起１の入り込みを規制するストッパ１８を有する。図５に示すように弾性係止片９の先端部９ｂが口金受け部６の径方向の外方に変形するのを防止する変形防止片１９を設けている。そして弾性係止片９の弾力により被係止突起１を挿入方向に押付けて、ランプ口金２の電気接続部周辺のランプ口金平面５と口金受け部６のソケット受金平面１０ａとの平面同志を当接させるようにしている。
【００４１】
また口金受け部６において、ランプ口金２は口金受け部６内で回転したとき凹部１０の周壁の例えば弾性係止片９の基端部９ａに当接して回転止めされる。弾性係止片９は係合突部１７の基端部９ａ側に隣接して係合凹部２０を有し、弾性係止片９の口金受け部６に連結する基端部９ａが係合凹部２０から周壁の周方向に離れて位置する。
【００４２】
２６はソケット取付面である。
【００４３】
この実施の形態によれば、図４に示すように、ランプ口金２の平面５をランプソケットの受金平面１０ａにより受けるため、ランプ口金２が口金受け部６に嵌着した状態となり、被係止突起１が弾性係止片９に係止した状態では、ランプ３が傾きにくく、ランプピン４の接触が安定する。
【００４４】
図１に示すように、ランプ取付操作が回転力のみで行なえる。すなわち同図（ａ）はランプ口金２を口金受け部６に挿入し口金平面５を受け金平面１０ａに当接した状態であり、被係止突起１が第１の溝７に入った状態である。同図（ｂ）はランプ口金２を回転した状態であり、被係止突起１が第２の溝８に入るとともに、弾性係止片９の先端部９ｂが被係止突起１により押上げられて弾性変形する。同図（ｃ）は被係止突起１が弾性係止片９の係合突部１７を乗り越えて係合突部１７が復元し係合凹部２０が被係止突起１に嵌合した状態であり、弾性係止片９の係合凹部２０で被係止突起１を受け金平面１０ａに向けて押えつけてランプ３を安定保持する。したがって、従来のように押しながら回転させるものと比較して操作力（回転トルク）、クリック感触が得られ、操作感触を一定にでき、操作性が向上する。
【００４５】
図６（ａ）に示すように、ランプ着脱時の操作力が装着時は小さくて取付けやすいが、取り外し時は大きてく外れにくくなる。すなわち、Ａ１は弾性係止片９の基端部９ａからランプ取付け時に被係止突起１が弾性係止片９を押し上げ始める点ａ１までの距離、Ａ２は基端部９ａからランプ取り外し時に被係止突起１が弾性係止片９を押し上げ始める点ａ２までの距離である。図のようにランプ口金２の被係止突起１の取付回動方向Ｐ１に弾性係止片９の変形の支点（９ａ）をおくと、ランプ３の取付けと取り外しによって、被係止突起１と弾性係止片９の接触位置が変わるため、Ａ１＞Ａ２となり、ランプ着脱の操作力は、取付時＜取り外し時、となる。
【００４６】
図６（ｂ）に示すように、弾性係止片９の支点の位置Ｂ１がランプ装着時のランプ口金２の被係止突起１の位置Ｂ２よりもランプ取付回動方向Ｐ１に離れている場合、被係止突起１の凸部全体を弾性係止片９により押えるため、ランプ保持の安定性が高い。
【００４７】
図７に示すように、ランプ軸Ｘが口金受け部６に対して傾斜するようなこじり力が作用した場合、被係止突起１をストッパ１８により受けるので、弾性係止片９の破壊を防止できる。すなわち、同図（ａ）はランプ装着状態であり、被係止突起１が係合突部１７を乗り越え、係合凹部２０に係合し、かつストッパ１８に当接した状態である。ストッパ１８があるため被係止突起１はそれ以上回転することができ図回転止めされる。同図（ｂ）はランプ装着状態で外力によりランプ３にこじり力が加わった場合であり、被係止突起１が傾くと被係止突起１が係合突部１７とストッパ２０に当たりこれらがこじり力を受ける。そのため、弾性係止片９の基端部にはこじり力が伝わらない。
【００４８】
図８に示すように、ランプ３が不完全装着による取付不良であっても弾性係止片９の破壊を防止できる。すなわち、同図（ｃ）に示すように、ランプ口金２が被係止突起１側に寄せられた場合、被係止突起１が第１の溝７に入らずに弾性係止片９を口金受け部６を形成する凹部１０の内面側から外に押して変形させる。このとき、変形防止片１９により弾性係止片９が外側に変形するのを防止することができる。
【００４９】
図９に示すように、ランプ装着時に被係止突起１と弾性係止片９の当接ではなく、ランプ口金２の側面と口金受け部６を形成する凹部１０の周壁との当接によってランプ装着の回動を止めるため、接する面積が広いので過度の操作力が加わっても破壊しにくい。すなわち図９の（ａ）、（ｂ）はランプ口金２を口金受け部６に挿入し回転した状態であり、このとき、ランプ口金２の側面が凹部１０の周壁の内面に当接部２４で当接して回転止めする。またその当接位置を弾性係止片９の基端部９ａの近傍にすると弾性係止片９に悪影響がない。
【００５０】
この発明の第２の実施の形態を図１０および図１１により説明する。すなわち、第１の実施の形態において、弾性係止片９の基端部９ａをＬ字状に屈曲しているものである。実施の形態では凹部１０を形成する周壁の弾性係止片９の基端部９ａの後方に縦スリット３０を形成して、弾性係止片９の形状を被係止突起１の差し込み回動に対して被係止突起１を囲むようにＬ字状にしている。図１１（ａ）は想像線で示すようにランプ取付時は被係止突起１によって弾性係止片９のＬ字形の縦片部９ａ1 および横片部９ａ2 の両方とも変形する。一方、図１１（ｂ）に示すようにランプ取り外し時は、弾性係止片９の縦片部９ａ1 は取り外しの方向に対して開かない方向へ変形しようとするので大きなランプ取り外し力が必要となり、そのためランプ保持性が良好になる。また弾性係止片９の基端部９ａをＬ字状にすることにより、小さなスペースで弾性係止片を形成できる。
【００５１】
なお、第１の実施の形態のストッパ１８は縦片部９ａ1 が兼ねており、また第１の実施の形態の変形防止片１９は設けていない。
【００５２】
この発明の第３の実施の形態を図１２および図１３により説明する。すなわち、第１の実施の形態において、弾性係止片９はランプ口金２を回転する際に乗り越えさせる屈曲部を有する板ばねにより形成している。すなわち、第１の溝７と第２の溝８のコーナ部で第２の溝８側に折り曲げた板ばねの一片３１ａを取付け、他片３１ｂをくの字に折曲して、係合突部１７を形成している。したがって、ランプ３を差し込み回動すると被係止突起１に押されてくの字形の他片３１ｂが弾性変形し被係止突起１が他片３１ｂを乗り越え、他片３１ｂに抜止め係止し、このときクリック感触が得られる。ランプ３を外すときも同様に作用する。
【００５３】
なお、第１の実施の形態のストッパ１８は第２の溝８の内端部でストッパ機能を果たしている。また第１の実施の形態の変形防止片１９は設けていない。また板ばねに限らず他の形状のばね部材を用いることができる。
【００５４】
なお、この発明は、片口金蛍光灯用ソケットに適用したが、その他のランプソケットに適用でき、またこれらを用いた照明器具や、片口金蛍光灯器具に適用することができる。
【００５５】
【発明の効果】
請求項１記載のランプソケットによれば、被係止突起が第１の溝および第２の溝を通り弾性係止片に弾性係止するため、ランプ取付操作が回転力のみでできるので、従来のようにランプソケットに押し付けながら回転させるものに比較して操作力および操作感触を一定にでき、操作性を向上できるとともに、ランプ口金の底面をランプソケットの開口部の底面に受けることができランプ口金を安定保持でき、ランプが傾きにくくランプピンの接触も安定化できる。
【００５７】
とくに、弾性係止片で被係止突起を介してランプ口金を口金受け部に押し付けるため、より安定保持できる。
【００５８】
請求項２記載のランプソケットによれば、請求項１と同様な効果がある。
【００５９】
請求項３記載のランプソケットによれば、請求項１と同様な効果のほか、被係止突起が弾性係止片を押圧する点と基端部との距離が取付時と取外し時とで異なり、かつ後者の方が短いので、ランプを取付けやすく外れにくくなる。
【００６０】
請求項４記載のランプソケットによれば、請求項３と同様な効果のほか、小さなスペースで弾性係止片を形成することができる。
【００６１】
請求項５記載のランプソケットによれば、請求項１と同様な効果のほか、ストッパにより回転止めになり、ランプが傾きにくくなり、またランプソケットの軸線に対して傾斜する方向にランプを傾けるランプこじりに対して、被係止突起をストッパで受けることができ、弾性係止片の基端部に応力集中がかからないので、基端部の変形、亀裂や破損を防止できる。
【００６２】
請求項６記載のランプソケットによれば、請求項１と同様な効果のほか、ランプが片寄せで取付けられた場合でも、変形防止片により規制できるので被係止突起が係合突部に不完全嵌合することがなく、ランプの取付不良による弾性係止片の破壊を防止できる。また外力を変形防止片と弾性係止片で受けるため耐衝撃強度が向上する。
【００６３】
請求項７記載のランプソケットによれば、請求項１と同様な効果がある。
【００６４】
請求項８記載のランプソケットによれば、請求項１と同様な効果のほか、口金受け部の周壁とランプ口金の側面との当接によってランプ装着の回転を止めるため、接する面積が広く過度の操作力が加わっても破壊しにくい。
【００６５】
請求項９記載のランプソケットによれば、請求項１と同様な効果のほか、ランプ口金の側面が弾性係止片の基端部に当接するため弾性係止片を変形することがない。
【００６６】
請求項１０記載のランプソケットによれば、請求項３と同様な効果のほか、被係止突起の全体を弾性係止片で押すことができるのでランプ保持の安定性がより高い。
【００６７】
請求項１１記載の片口金蛍光灯用ソケットによれば、請求項１、請求項２、請求項３、請求項４、請求項５、請求項６、請求項７、請求項８、請求項９、または請求項１０と同様な効果がある。
【００６８】
請求項１２記載の照明器具によれば、請求項１、請求項２、請求項３、請求項４、請求項５、請求項６、請求項７、請求項８、請求項９、または請求項１０と同様な効果がある。
【００６９】
請求項１３記載の片口金蛍光灯器具によれば、請求項１、請求項２、請求項３、請求項４、請求項５、請求項６、請求項７、請求項８、請求項９、または請求項１０と同様な効果がある。
【図面の簡単な説明】
【図１】この発明の第１の実施の形態のランプ装着動作の説明図である。
【図２】分解斜視図である。
【図３】片口金蛍光ランプの装着状態の斜視図である。
【図４】その部分側面図である。
【図５】ランプソケットの斜視図である。
【図６】ランプソケットの被係止突起を係止する際の動作状態の説明図である。
【図７】被係止突起がストッパに当接した状態の説明図である。
【図８】（ａ）はランプソケットの斜視図、（ｂ）はそのランプ口金を装着した状態を想像線で示す平面図、（ｃ）はランプ口金がずれて挿入され被係止突起で弾性係止片を外方に押した状態の部分平面図である。
【図９】（ａ）はランプ口金を装着した状態の斜視図、（ｂ）はその平面図である。
【図１０】第２の実施の形態のランプソケットの斜視図である。
【図１１】（ａ）は被係止突起を係止する直前の弾性係止片の動作状態の説明図、（ｂ）は被係止突起を弾性係止片から外す直前の説明図である。
【図１２】第３の実施の形態のランプソケットの斜視図である。
【図１３】その概略破断側面図である。
【図１４】従来例の分解斜視図である。
【符号の説明】
１    被係止突起
２    ランプ口金
３    ランプ
４    ランプピン
５    ランプ口金平面
６    口金受け部
７    第１の溝
８    第２の溝
９    弾性係止片
９ａ    基端部
９ｂ    先端部
１０    凹部
１０ａ    ソケット受け金平面
１０ｂ    開口部
１７    係合突部
１８    ストッパ
１９    変形防止片
２０    係合凹部
２４    当接部
【図１】
0003681585.tif 000002
【図２】
0003681585.tif 000003
【図３】
0003681585.tif 000004
【図４】
0003681585.tif 000005
【図５】
0003681585.tif 000006
【図６】
0003681585.tif 000007
【図７】
0003681585.tif 000008
【図８】
0003681585.tif 000009
【図９】
0003681585.tif 000010
【図１０】
0003681585.tif 000011
【図１１】
0003681585.tif 000012
【図１２】
0003681585.tif 000013
【図１３】
0003681585.tif 000014
【図１４】
0003681585.tif 000015